(57)【要約】【課題】冊子類の搬送不良を容易に解消できる中間転写型熱転写印刷装置を提供する。【解決手段】中間転写型熱転写印刷装置１は、サーマルヘッド２１とプラテンローラ２０との協働により、カラーインクリボンＲ上の配色に基づいてフィルムＦに画像が熱転写され、このフィルムＦを、ヒートローラ２３で加熱させながら冊子Ｓに押圧することによって、冊子ＳにフィルムＦ上の画像を熱再転写する中間転写型熱転写印刷装置１において、Ｌ字状に見開かれた冊子Ｓの片面を伏せた状態で冊子Ｓを水平方向に案内するガイド面６１ｄを有する冊子ガイド部６１と、冊子ガイド部６１から冊子Ｓを受け入れる冊子投入口７３を有すると共に、引き出し可能な搬送ユニット１００と、搬送ユニット１００に固定されると共に、ゴム板７７が冊子ガイド部６１のガイド面６１ｄに沿って摺動する押し出し部９０と、を備えたことを特徴とする。【選択図】図８
2007313751.tif 000002
【特許請求の範囲】
【請求項１】
サーマルヘッドとプラテンローラとの協働により、インクリボン上の配色に基づいてフィルムに画像が熱転写され、このフィルムを、ヒートローラで加熱させながら冊子類に押圧することによって、前記冊子類に前記フィルム上の画像を熱再転写する中間転写型熱転写印刷装置において、
Ｌ字状に見開かれた前記冊子類の片面を伏せた状態で前記冊子類を水平方向に案内するガイド面を有する冊子ガイド部と、
前記冊子ガイド部の後流側に配置されて、前記冊子ガイド部から前記冊子類を受け入れる冊子投入口を有すると共に、前記冊子ガイド部の延在方向に対して直交する方向に引き出し可能な搬送ユニットと、
前記搬送ユニットに固定されると共に、先端部が前記冊子ガイド部の前記ガイド面に沿って、前記搬送ユニットの移動方向に摺動する押し出し部と、を備えたことを特徴とする中間転写型熱転写印刷装置。
【請求項２】
前記先端部は、前記冊子ガイド部の延在方向に沿って延びるゴム板であることを特徴とする請求項１記載の中間転写型熱転写印刷装置。
【発明の詳細な説明】
【技術分野】
【０００１】
本発明は、印刷画像をフィルム上に一旦転写した後、フィルム上の画像を冊子類に転写するための中間転写型熱転写印刷装置に関するものである。
【背景技術】
【０００２】
従来、このような分野の技術として、下記特許文献１に記載の熱転写プリンタが知られている。この熱転写プリンタでは、プラテンローラの略半周面に押し当てられるように巻き付けられたフィルムに対し、サーマルヘッドによって、プラテンローラ上のフィルムにカラーインクリボンが押し当てられる。そして、フィルム及びカラーインクリボンをサーマルヘッドとプラテンローラとで挟み込んで、カラーインクリボンによってフィルム上に画像を一旦熱転写（一次転写）し、その後、フィルム上の画像とカードの表面とを重ね合わせながら、ヒートローラでフィルムを加熱させている。このとき、フィルムをカードに押圧することによって、カードの表面にフィルム上の画像が再転写される。
【０００３】
この種の印刷装置は、複数枚の印刷媒体を積層状態で蓄えるストッカを有し、ストッカに蓄えられた印刷媒体は、ストッカから順次繰り出され、所定の搬送経路に沿って搬送される。そして、ジャムが発生して印刷媒体の搬送不良が発生した場合などは、例えば、作業者が装置筐体のカバーを開け、装置内に手を差し入れてジャムの原因となった印刷媒体を除去する必要があった（特許文献２参照）。
【特許文献１】特開２００５−１６１８２４号公報
【特許文献２】特開平１０−３２９９７６号公報
【発明の開示】
【発明が解決しようとする課題】
【０００４】
しかしながら、筐体内部の構造が入り組んでいる場合や、レイアウト上の制約から印刷媒体の搬送経路を筐体内の奥に設けなければならない場合には、筐体内に手を差し入れて搬送不良の原因となった印刷媒体を取り除くことは困難であった。
【０００５】
そこで、本発明は、冊子類の搬送不良を容易に解消できる中間転写型熱転写印刷装置を提供することを目的とする。
【課題を解決するための手段】
【０００６】
本発明に係る中間転写型熱転写印刷装置は、サーマルヘッドとプラテンローラとの協働により、インクリボン上の配色に基づいてフィルムに画像が熱転写され、このフィルムを、ヒートローラで加熱させながら冊子類に押圧することによって、冊子類にフィルム上の画像を熱再転写する中間転写型熱転写印刷装置において、Ｌ字状に見開かれた冊子類の片面を伏せた状態で冊子類を水平方向に案内するガイド面を有する冊子ガイド部と、冊子ガイド部の後流側に配置されて、冊子ガイド部から冊子類を受け入れる冊子投入口を有すると共に、冊子ガイド部の延在方向に対して直交する方向に引き出し可能な搬送ユニットと、搬送ユニットに固定されると共に、先端部が冊子ガイド部のガイド面に沿って、搬送ユニットの移動方向に摺動する押し出し部と、を備えたことを特徴とする。
【０００７】
この中間転写型熱転写印刷装置によれば、Ｌ字状に見開かれた冊子類は、冊子ガイド部のガイド面に沿って、片面を伏せた状態で水平方向に案内される。そして、搬送ユニットは、冊子ガイド部の延在方向に対して直交する方向に引き出し可能である。そこで、搬送ユニットを引き出すと、搬送ユニットと一緒に押し出し部も移動する。このとき、押し出し部の先端部は、冊子ガイド部のガイド面に沿って摺動し、冊子ガイド部上で留まっている冊子類は押し出されて、冊子投入口に落とし込まれる。その結果として、冊子類がガイド面上に留まって搬送不良が起きても、搬送ユニットを引き出すことで冊子類を簡単に回収でき、搬送不良を容易に解消できる。
【０００８】
さらに、押し出し部の先端部は、冊子ガイド部の延在方向に沿って延びるゴム板であると好適である。ゴム板は撓んだ状態でガイド面を掃くように移動できるため、薄い冊子類であっても確実に押し出すことができる。
【発明の効果】
【０００９】
本発明の中間転写型熱転写印刷装置によれば、冊子の搬送不良を容易に解消できる。
【発明を実施するための最良の形態】
【００１０】
以下、図面を参照しつつ本発明に係る中間転写型熱転写印刷装置の好適な実施形態について詳細に説明する。
【００１１】
図１〜図４に示された中間転写型熱転写印刷装置１は、全自動の冊子プリンタであり、印刷画像を厚さ約２０μｍ程度の透明なフィルムＦに一旦転写した後、このフィルムＦから、例えばパスポート、通帳などの冊子（冊子類）Ｓに再転写する装置である。このような熱転写印刷装置１は、冊子Ｓの見開きの片面に高品位な画像（例えば顔写真や標識や文字）を印刷することができる。従って、この装置１は、高品位印刷が可能で、顔写真の入った冊子Ｓの発行をも可能にし、セキュリティを高めることができる。
【００１２】
このような中間転写型熱転写印刷装置１において、筐体５の下段側には、冊子Ｓを水平方向に積層可能な冊子ストッカ４が配置され、装置１の上段側には、冊子ストッカー４から一冊ずつ排出された冊子Ｓに画像を印刷するための印刷部３が配置されている。冊子ストッカー４は、水平方向に引出し可能であり、冊子ストッカー４内では、Ｌ字状に広げられた冊子Ｓが水平方向に重ねられている。冊子Ｓは、冊子ストッカー４の奥側で吸盤部６に吸着され、ポンプＰによって真空引きされた状態の吸盤部６が横方向に移動することで、冊子Ｓは、冊子ストッカー４の奥側から横方向に一冊ずつ引き出される。筐体５の下段側に設けられた観音開き型の扉５ａを開くことによって、冊子ストッカー４を手前側に引き出すことができ、冊子ストッカー４内に冊子Ｓを補充することができる。
【００１３】
装置１の上段と下段とはベルト搬送方式の傾斜リフト部７で連結され、傾斜リフト部７の下端側及び上端側には回転自在な冊子方向転換部８，９が配置されている。吸盤部６で搬送されてきた冊子Ｓは、送り込みローラ８ａによって下端側の冊子方向転換部８内に取り込まれ、冊子方向転換部８は傾斜リフト部７の下端側に送り込むように所定角度内で回動する。上端側の冊子方向転換部９は、傾斜リフト部７の上端から排出された冊子Ｓを上段の印刷部３の搬送部Ｃ内に送り込むように所定角度内で回動する。そして、冊子方向転換部９から排出された冊子Ｓは、冊子送り込み爪２７によって、冊子Ｓをスライドさせながら印刷部３の搬送部Ｃに受け渡される。なお、上端側の冊子方向転換部９が直立状態になって、冊子Ｓを非接触ＩＣ読み／書き部１０内に送り込むことで、冊子Ｓ内に埋め込まれているＩＣチッブの読み書きが行われる。
【００１４】
次に、筐体５の上段側に配置された印刷部３では、フィルムＦに画像を熱転写するための記録部（一次転写部）Ａと、フィルムＦに転写された画像と冊子Ｓとを対向させて、冊子Ｓに画像を熱転写するための熱再転写部（二次転写部）Ｂと、冊子Ｓを水平方向に搬送させるための搬送部Ｃとを備えている。
【００１５】
この印刷部３には、水平方向に引出し可能なフィルムカセット部１３とリボンカセット部１４とが配置されている。このフィルムカセット部１３内のフィルムＦは、上下一対のボビン１５，１６に巻かれた状態で交換可能である。リボンカセット部１４内のカラーインクリボンＲも同様に、上下一対のボビン１７，１８に巻かれた状態で交換可能である。そして、リボンカセット部１４内のカラーインクリボンＲには、溶融性又は昇華性のイエロー・マゼンタ・シアンの３色（またはブラックを加えた４色）のインクを１フレームとして周期的にインクが塗布されている。なお、フィルムＦ又はリボンＲを交換する際には、筐体５の上段側に設けられた跳ね上げ式の扉５ｂを持ち上げる。
【００１６】
さらに、記録部Ａにおいて、プラテンローラ(通称「プラテン」)２０とプラテンローラ２０に対する離間／接近が可能なクランプローラ１９ａ，１９ｂとの協働により、フィルムＦは、プラテンローラ２０の周面の３／４周に巻き付け固定されると共に、プラテンローラ２０の回転に追従して移動する。そして、一次転写時において、サーマルヘッド２１がプラテンローラ２０に向かって前進し、サーマルヘッド２１によって、カラーインクリボンＲがプラテンローラ２０上のフィルムＦに押し当てられる。そして、モータによってプラテンローラ２０を正転させ、フィルムＦとカラーインクリボンＲとを同期させながら下方に送ることで、加熱状態のサーマルヘッド２１によって、カラーインクリボンＲの第１色目（シアン）がフィルムＦ上に熱転写される。また、フィルムＦ上に画像を熱転写した後のカラーインクリボンＲは、サーマルヘッド２１の後退後、フィルムＦから剥離させられながらボビン１８に巻き取られて行く。
【００１７】
次に、フィルムＦとカラーインクリボンＲとを離間させた状態で、プラテンローラ２０を逆転させながらフィルムＦを上昇させて元の位置に復帰させる。その後、前述の転写動作を繰り返しながら、フィルムＦ上にマゼンタ、イエロー、ブラックの順に色を重層させて、所望のカラー画像をフィルムＦ上に作り出す。その後、プラテンローラ２０からクランプローラ１９ａ，１９ｂを離間させ、巻取り側ボビン１６等の回転によってフィルムＦを搬送し、フィルムＦ上の記録画像をヒートローラ２３の近くまで移動させる。
【００１８】
また、搬送部Ｃにおいて、冊子Ｓの見開きページの印刷予定面が搬送テーブル２４よって支持された状態で、搬送テーブル２４は水平方向に移動する。このとき、冊子Ｓは、フィルムＦ上の記録画像と位置合わせされ、冊子Ｓの見開きページの印刷予定面とフィルムＦとが重ね合わされた状態で熱再転写部Ｂに送り込まれる。
【００１９】
この熱再転写部Ｂにおいて、冊子Ｓの印刷予定面にフィルムＦが重ね合わされた状態で、冊子Ｓ及びフィルムＦは、ヒートローラ２３と搬送テーブル２４とで挟み込まれ、１６０〜２００°Ｃに加熱されたヒートローラ２３と搬送テーブル２４との協働により、冊子ＳとフィルムＦとを加圧搬送させながら、フィルムＦ上の記録画像を冊子Ｓの印刷予定面上に徐々に転写させていく。このとき、フィルムＦは、冊子Ｓから剥離しながらボビン１６に巻き取られていく。
【００２０】
印刷が完了した冊子Ｓは搬送部Ｃから排出された後、冊子送り込み爪２８によって、冊子Ｓをスライドさせながら冊子方向転換部２５内に送り込まれる。この冊子方向転換部２５が直立状態になって、冊子Ｓを非接触ＩＣ読み／書き部２２内に送り込むことで、冊子Ｓ内に埋め込まれているＩＣチッブの読み書きが行われる。その後、冊子Ｓが冊子方向転換部２５内に送り戻された後、冊子方向転換部２５を水平状態にして、スタッカー２６内に冊子Ｓが排出される。このスタッカー２６内には、印刷や情報書き込みが完了した冊子Ｓがストックされる。なお、情報の書き込みや読み込みエラーが発生した冊子Ｓは、リジェクトストッカ２９内に排出される。
【００２１】
前述した中間転写型熱転写印刷装置１は、紙製のシート（例えばＶＩＳＡシート）Ｇの印刷も可能である。シートストッカー３０内で平積みされたシートＧは、下から押し上げられながら搬送路２を通って冊子方向転換部８内に送り込まれる。そして、シートＧは、傾斜リフト部７を通って印刷部３に供給され、印刷完了後はスタッカー２６内でストックされる。
【００２２】
続いて、冊子ストッカ４から冊子Ｓを一冊ずつ繰り出し、傾斜リフト部７まで搬送する機構について、更に詳細に説明する。
【００２３】
図５に示すように、冊子ストッカ４は、冊子方向転換部８、リジェクトストッカ２９及びシートストッカー３０を備える搬送ユニット１００に組み込まれている。冊子ストッカ４は、図１２に示すように、前後に長い矩形の箱であり、複数の冊子Ｓは、先頭の冊子Ｓから順番に水平方向に重なるようにして冊子ストッカ４内に収容されている。冊子ストッカ４の前部には、図６及び図７に示すように、水平方向に沿って延在するステンレス製の台座部３１と、台座部３１の手前側の縁から鉛直下方に向けて延在するステンレス製の前蓋部３２とが設けられている。先頭の冊子Ｓは、台座部３１によって見開きの一方の面が当接支持されると共に、他方の面が前蓋部３２に当接し、Ｌ字状に開いた状態で支えられている。そして、他の冊子Ｓも見開きの一方の面を伏せた状態で順次積み重ねられている。
【００２４】
冊子ストッカ４の一方の側壁３５には、Ｌ字状の前端縁３５ａが形成されている。台座部３１及び前蓋部３２は、その前端縁３５ａとの間でゲート口ＨとなるＬ字状のスリットを形成するように配置されている。台座部３１には、水平方向に延在してゲート口Ｈに連通するガイド口ＧＨが形成されている。ガイド口ＧＨから吸盤部６が露出すると、吸盤部６は先頭の冊子Ｓの見開きの片面に吸い付く。吸盤部６は、先頭の冊子Ｓに吸い付いたままガイド口ＧＨに沿って移動し、ゲート口Ｈを通って冊子ストッカ４の外に排出される。先頭の冊子Ｓに重なる他の冊子Ｓは、ゲート口Ｈの上部を一部塞ぐようにして側壁３５に固定されているゲート部材３５ｂによって移動を阻止される。その結果として、先頭の冊子Ｓのみが、吸盤部６によって冊子ストッカ４から引き出される。
【００２５】
図６に示すように、吸盤部６には、ポンプＰ（図３参照）に接続されたチューブ３９が固定されている。さらに、吸盤部６を保持する樹脂製の基部４１には、ガイド孔４１ａが形成されており、ガイド孔４１ａには、左右方向に沿って延在するガイドシャフト４２が貫通している。さらに、基部４１は、タイミングベルト４３に固定されている。タイミングベルト４３は、駆動プーリ４４及び従動プーリ４６に掛け回されており、駆動プーリ４４には、減速ギア４７を介してＤＣサーボモータ４８が連結されている。そして、ＤＣサーボモータ４８の駆動により、吸盤部６は、ガイドシャフト４２に沿って水平方向に移動する。なお、吸盤部６、基部４１、ガイドシャフト４２、タイミングベルト４３、駆動プーリ４４、従動プーリ４６、減速ギア４７及びＤＣサーボモータ４８によって搬送手段５０が構成される。
【００２６】
搬送手段５０は、昇降手段８０によって上下動する。この昇降手段８０は、搬送手段５０のガイドシャフト４２の両端に固定されたカムフォロア５１を有している。搬送手段５０を囲んでいるフレームの左右の側壁５２には、ガイドシャフト４２の端部が挿入される長孔５２ｂが形成されている。なお、側壁５２は、架台５３上に固定されている。
【００２７】
左右の側壁５２ａは、軸受けを介してカムシャフト５４を支持している。カムシャフト５４には左右一対の板カム５５が固定されており、各板カム５５は、カムフォロア５１に設けられた突部５１ｂに当接する。架台５３上には、ＤＣサーボモータ５６が固定されており、ＤＣサーボモータ５６は、減速ギア５８を介してカムシャフト５４に連結されている。ＤＣサーボモータ５６の駆動によって板カム５５が回転し、カムフォロア５１を昇降させる。その結果として、搬送手段５０に設けられた吸盤部６も昇降する。吸盤部６は、上昇すると台座部３１のガイド口ＧＨ（図７参照）を抜けて露出し、先頭の冊子Ｓに当接する。一方、下降するとガイド口ＧＨ内に没入する。
【００２８】
図７及び図８に示すように、吸盤部６は、先頭の冊子Ｓを吸い付けたまま、冊子方向転換部８に冊子Ｓを受け渡す位置まで水平移動する。この受け渡し位置には、断面Ｌ字状で、吸盤部６の軌道に沿ってストレートに延びる冊子ガイド部６１（図９参照）が配置されている。冊子ガイド部６１は、直交する水平板６１ａと鉛直板６１ｂからなり、冊子ガイド部６１は、筐体５のフレームにねじ止めされている。そして、水平板６１ａには、吸盤部６の軌道に沿ったスリットＳＬが形成されている。さらに、水平板６１ａのスリットＳＬを形成するガイド片６１Ａの先端には、冊子ストッカ４から離れるに従って上方に傾斜した受入れ面６１ｃが形成されている。
【００２９】
吸盤部６はスリットＳＬ内を水平方向に移動し、吸盤部６と一緒に冊子Ｓも移動する。冊子Ｓは、見開かれた一方の面が受入れ面６１ｃに当接し、受入れ面６１ｃ上を摺動しながらガイド面６１ｄに達する。冊子Ｓは、そのままガイド面６１ｄによって水平方向に案内され、冊子ガイド部６１の後流側に配置される冊子方向転換部８の上方まで達し、この位置で冊子Ｓの見開きの他方は、鉛直板６１ｂに対面する。なお、この位置で、吸盤部６による冊子Ｓの真空引きは解除され、さらに、吸盤部６は下降して冊子Ｓから離れる。さらに、鉛直板６１ｂの下部には、冊子Ｓを下方に送り出すための駆動ローラ６５が配置されている。駆動ローラ６５のシャフト６５ａは、軸受けを介して鉛直板６１ｂに支持されており、シャフト６５ａは、減速ギアを介してＤＣサーボモータ（図示せず）に連結されている。
【００３０】
搬送ユニット１００の一部をなす冊子方向転換部８の上部には、駆動ローラ６５との間で冊子Ｓを挟み付けるための従動ローラ６６が取り付けられている。冊子方向転換部８は、左右一対のステンレス製の側面板６７を有し、左右の側面板６７には、従動ローラ６６のシャフト６６ａが挿入されるスリットＳＨ（図７参照）が形成されている。スリットＳＨは前後方向に延在し、シャフト６６ａは前後に移動可能である。シャフト６６ａの一方の端部には、軸受けを介してカムフォロア６９が取り付けられている。カム７１は、カムフォロア６９に形成された所定形状の孔内に配置されている。カム７１は、ＤＣサーボモータ７２の駆動によって回転し、カムフォロア６９を介して従動ローラ６６を前後に移動させることができる。
【００３１】
従動ローラ６６は、冊子Ｓが到達する前においては駆動ローラ６５から離れており、冊子Ｓを受入れやすい状態で待機している。そして、冊子Ｓが駆動ローラ６５まで達すると、従動ローラ６６は、前進して駆動ローラ６５に接近し、駆動ローラ６５との間で冊子Ｓを挟み付ける。その後、駆動ローラ６５は冊子Ｓを下方に送るように回転し、それに従うようにして従動ローラ６６も回転する。
【００３２】
さらに、冊子方向転換部８は、駆動ローラ６５及び従動ローラ６６の下方に配置された冊子投入口７３を有する。冊子投入口７３は、前後一対の樹脂製ブロック７３ａによって形成される。樹脂製ブロック７３ａは、左右の側面板６７間に渡された梁部材７４にねじ止めされている。樹脂製ブロック７３ａ間で形成された隙間Ｄ１には、上方から冊子Ｓが投入される。さらに、樹脂製ブロック７３ａには、上方に向けて広がるように傾斜する投入ガイド面７３ｂが形成され、冊子投入口７３は、各樹脂製ブロック７３ａのガイド面７３ｂによって形成されている。
【００３３】
冊子投入口７３の下方には、垂直方向に延在する搬送部７５が配置されている。搬送部７５は、対面して配置された二つのタイミングベルト７５ａを有しており、各タイミングベルト７５ａは、駆動プーリ７５ｂ、従動プーリ７５ｃ及びテンションローラ７５ｄに掛け回されている。冊子投入口７３を通過した冊子Ｓは、二つのタイミングベルト７５ａの間に形成された隙間Ｄ２の入口に到達し、タイミングベルト７５ａの回転によって下方へ送られる。冊子Ｓが搬送部７５内に完全に取り込まれると、タイミングベルト７５ａは停止し、搬送部７５が冊子Ｓを保持する。冊子方向転換部８の搬送部７５は、回転機構（図示せず）によって所定角度回動し、駆動プーリ７５ｂ、従動プーリ７５ｃ及びテンションローラ７５ｄは、軸受けを介して回転機構（図示せず）に取り付けられている。回転機構は、ＤＣサーボモータ（図示せず）を有し、このモータによってタイミングベルト７５ａは傾動する。搬送部７５が傾動し、タイミングベルト７５ａ間の隙間Ｄ２の入口が傾動リフト部７の入り口に合致すると、搬送部７５の回転は停止する。その後に、二つのタイミングベルト７５ａは回転を開始し、傾動リフト部７に冊子Ｓが受け渡たされる。
【００３４】
冊子方向転換部８の側面板６７の上部には、冊子ガイド部６１の上方を横切るように、前方に突き出したステンレス製のアーム部７６が溶接されている。各アーム部７６の先端には、両アーム部７６間を渡すようにして支持板部７６ａが設けられている。支持板部７６ａは、冊子ガイド部６１の延在方向に沿って延び、支持板部７６ａには、冊子ガイド部６１の延在方向に延びる矩形のゴム板７７がねじ止めされている。ゴム板７７の下端は、冊子ガイド部６１のガイド面６１ｄよりも下方に位置する。そして、アーム部７６、支持板部７６ａ及びゴム板７７によって押し出し部９０が構成される。
【００３５】
冊子方向転換部８を備えた搬送ユニット１００は、筐体５の底に固定されたレール７８上を移動する。レール７８は、冊子ガイド部６１の延在方向に対して直交する方向に延在し、搬送ユニット１００は、図１１に示すように、筐体５の前面側に引き出される。
【００３６】
図１０（ａ）に示すように、搬送ユニット１００が引き出される前の状態で、ゴム板７７は、冊子ガイド部６１よりも奥側に位置している。そして、冊子Ｓが冊子ガイド部６１上で止まってしまって、搬送不良を引き起こした場合には、筐体５の扉５ａを開き、搬送ユニット１００を手前側に引き出す。すると、図１０（ｂ）及び図９に示すように、搬送ユニット１００の移動に追従して、ゴム板７７は、ガイド面６１ｄの表面に沿って摺動し、ガイド面６１ｄ上の冊子Ｓは押し出されながら、冊子投入口７３に落とし込まれる（図１０（ｃ）参照）。その結果として、冊子Ｓがガイド面６１ｄ上に止まって搬送不良が起きても、搬送ユニット１００を引き出すことで冊子Ｓを簡単に回収でき、搬送不良を容易に解消できる。
【００３７】
特に、ゴム板７７は撓んだ状態でガイド面６１ｄの表面を掃くように移動するため、薄い冊子Ｓであっても確実に押し出すことが可能である。
【図面の簡単な説明】
【００３８】
【図１】本発明に係る中間転写型熱転写印刷装置の一実施形態を示す左側面図である。
【図２】図１の中間転写型熱転写印刷装置の正面図である。
【図３】図１の中間転写型熱転写印刷装置の背面図である。
【図４】図１の中間転写型熱転写印刷装置の右側面図である。
【図５】搬送ユニットの左側面図である。
【図６】図３の中間転写型熱転写印刷装置の搬送手段を示す拡大図である。
【図７】図６に示した搬送手段の平面図である。
【図８】搬送ユニットの前部を示す拡大図である。
【図９】ゴム板の斜視図である。
【図１０】搬送ユニットと一緒に移動するゴム板の作用を示し、（ａ）はゴム板が冊子に当接する前の状態を示す図であり、（ｂ）はゴム板が冊子を掃き出している途中を示す図であり、（ｃ）はゴム板による冊子の掃き出しが終了した状態を示す図である。
【図１１】搬送ユニットを筐体から引き出した状態を示す図である。
【図１２】冊子ストッカの斜視図である。
【符号の説明】
【００３９】
１…中間転写型熱転写印刷装置、４…冊子ストッカ、２０…プラテンローラ、２１…サーマルヘッド、２３…ヒートローラ、６１…冊子ガイド部、６１ｄ…ガイド面、７３…冊子投入口、７６…アーム部、７６ａ…支持板部、７７…ゴム板、９０…押し出し部、１００…搬送ユニット、Ｆ…フィルム、Ｒ…カラーインクリボン、Ｓ…冊子（冊子類）。
【図１】
2007313751.tif 000003
【図２】
2007313751.tif 000004
【図３】
2007313751.tif 000005
【図４】
2007313751.tif 000006
【図５】
2007313751.tif 000007
【図６】
2007313751.tif 000008
【図７】
2007313751.tif 000009
【図８】
2007313751.tif 000010
【図９】
2007313751.tif 000011
【図１０】
2007313751.tif 000012
【図１１】
2007313751.tif 000013
【図１２】
2007313751.tif 000014